(57)【特許請求の範囲】
【請求項１】
車両に搭載されて操作者による所定の操作により制御可能な車載機器と、
操作面を有すると共に当該操作面に対する前記操作者の手指によるスライド操作を検出可能な操作検出手段と、
該操作検出手段により検出された前記スライド操作に基づいて所定のジェスチャパターンを認識するジェスチャ認識手段と、
前記ジェスチャ認識手段により認識された前記ジェスチャパターンに応じて前記車載機器を制御する制御手段と、を備える操作装置であって、
前記操作検出手段は、前記スライド操作の操作方向を含む平面に略直交する押圧方向への押圧力を検出可能であり、
前記ジェスチャ認識手段は、前記操作検出手段により検出される前記押圧力が所定値未満である場合に前記スライド操作に基づく前記ジェスチャパターンの認識を実行せず、前記押圧力が前記所定値以上に到達した以後の前記スライド操作に基づいて前記ジェスチャパターンを認識し、
前記ジェスチャ認識手段は、前記操作検出手段により前記押圧力が前記所定値以上であることが検出された以後の所定時間の間に、前記押圧力が前記所定値未満であることが検出されたとしても、前記スライド操作に基づく前記ジェスチャパターンの認識を継続する、
ことを特徴とする車両用操作装置。
【請求項２】
車両に搭載されて操作者による所定の操作により制御可能な車載機器と、
操作面を有すると共に当該操作面に対する前記操作者の手指によるスライド操作を検出可能な操作検出手段と、
該操作検出手段により検出された前記スライド操作に基づいて所定のジェスチャパターンを認識するジェスチャ認識手段と、
前記ジェスチャ認識手段により認識された前記ジェスチャパターンに応じて前記車載機器を制御する制御手段と、を備える操作装置であって、
前記操作検出手段は、前記スライド操作の操作方向を含む平面に略直交する押圧方向への押圧力を検出可能であり、
前記ジェスチャ認識手段は、前記操作検出手段により検出される前記押圧力が所定値未満である場合に前記スライド操作に基づく前記ジェスチャパターンの認識を実行せず、前記押圧力が前記所定値以上に到達した以後の前記スライド操作に基づいて前記ジェスチャパターンを認識し、
前記操作検出手段は、前記車両のステアリングホイール上に設けられ、
前記ジェスチャ認識手段は、前記ステアリングホイールの舵角が所定舵角以上である場合には、前記操作検出手段により検出される前記押圧力が前記所定値以上となった場合であっても、前記スライド操作に基づく前記ジェスチャパターンの認識を禁止する、
ことを特徴とする車両用操作装置。
【請求項３】
車両に搭載されて操作者による所定の操作により制御可能な車載機器と、
操作面を有すると共に当該操作面に対する前記操作者の手指によるスライド操作を検出可能な操作検出手段と、
該操作検出手段により検出された前記スライド操作に基づいて所定のジェスチャパターンを認識するジェスチャ認識手段と、
前記ジェスチャ認識手段により認識された前記ジェスチャパターンに応じて前記車載機器を制御する制御手段と、を備える操作装置であって、
前記操作検出手段は、前記スライド操作の操作方向を含む平面に略直交する押圧方向への押圧力を検出可能であり、
前記ジェスチャ認識手段は、前記操作検出手段により検出される前記押圧力が所定値未満である場合に前記スライド操作に基づく前記ジェスチャパターンの認識を実行せず、前記押圧力が前記所定値以上に到達した以後の前記スライド操作に基づいて前記ジェスチャパターンを認識し、
前記操作検出手段は、前記車両のステアリングホイール上に設けられ、
前記ジェスチャ認識手段は、前記操作検出手段とは異なる他の操作スイッチが操作されている場合には、前記操作検出手段により検出される前記押圧力が前記所定値以上となった場合であっても、前記スライド操作に基づく前記ジェスチャパターンの認識を禁止する
、ことを特徴とする車両用操作装置。
【請求項４】
前記所定時間は、前記操作検出手段により前記スライド操作が継続して検出されている時間である
ことを特徴とする請求項１に記載の車両用操作装置。
【請求項５】
前記所定の操作に応じて操作可能な操作対象を複数の所定の表示領域において前記操作者に視認可能に表示する表示手段を備え、
前記表示手段は、前記ジェスチャ認識手段により認識された前記ジェスチャパターンに応じて前記所定の表示領域内において前記操作対象が移動するように表示し、
前記ジェスチャ認識手段は、前記操作検出手段により検出される前記押圧力が前記所定値よりも大きい第２所定値以上である場合に、前記複数の所定の表示領域のうち何れか１つの表示領域から他の表示領域へ前記操作対象が移動するように表示する
ことを特徴とする請求項１に記載の車両用操作装置。
【請求項６】
前記操作検出手段は、所定の単位時間あたりの前記押圧力の変化量または変化率を検出可能であって、当該押圧力の変化量または変化率に基づいて前記押圧力が前記所定値以上であるか否かを判定する
ことを特徴とする請求項１に記載の車両用操作装置。
【請求項７】
前記操作検出手段は、前記操作面の前記押圧方向奥側に静電容量センサを備えると共に、該静電容量センサと前記操作面との間に弾性変形可能な弾性部材を備え、
該弾性部材の前記押圧方向への前記弾性変形に伴い前記弾性部材の静電容量が変化することに基づいて前記押圧力の変化を検出する
ことを特徴とする請求項１から請求項５の何れか１つに記載の車両用操作装置。
【請求項８】
前記操作検出手段は、前記操作面の前記押圧方向奥側に圧電素子を備え、前記操作面を介して押圧される前記圧電素子の抵抗値の変化に基づいて前記押圧力の変化を検出する
ことを特徴とする請求項１から請求項５の何れか１つに記載の車両用操作装置。
【請求項９】
前記操作検出手段は、前記車両の運転席近傍の取付面に取り付けられ、
前記操作面は、該取付面周辺の面に対して奥まった凹部を形成する面とされ、
前記凹部は、前記操作検出手段を操作する前記操作者の手指の一部を収容可能である
ことを特徴とする請求項１から請求項５の何れか１つに記載の車両用操作装置。
【発明の詳細な説明】
【技術分野】
【０００１】
この発明は、車両用操作装置に関する。
【背景技術】
【０００２】
従来、例えば車両のステアリングホイールの左右のスポーク部に、それぞれが複数のタッチセンサからなるタッチパッドを配置し、該タッチパッドへのタッチ操作によるジェスチャの組み合わせに基づいて車載機器の制御を行なう技術が知られている（例えば、特許文献１参照）。
【先行技術文献】
【特許文献】
【０００３】
【特許文献１】特開２００９−２９８２８５号公報
【発明の概要】
【発明が解決しようとする課題】
【０００４】
しかしながら、上記従来技術に係る技術においては、タッチセンサとして静電容量センサを用いることから、タッチパッドをステアリングホイール上に配置する場合、誤操作を招き易いという問題が生じる。
また、タッチセンサの静電容量の十分な変化があった場合に接触有りと判定するよう構成した場合には、タッチパッド上の広範囲な面に対する接触操作が必要となり、操作性を悪化させてしまう虞がある。
さらに、ジェスチャ操作の検出はタッチパッドに多数配置された静電容量センサへの操作者の手指の接触有無を順次スキャンすることにより行なわれるため、静電容量センサの接地を確保する関係などからタッチパッドの背後に大きなスペースを必要とし、タッチパッドを配置可能な箇所が制約されてしまうという問題が生じることに加えて、タッチパッド上において指を動かす範囲が広域化することで操作負荷が増大するという問題が生じる。
【０００５】
本発明は上記事情に鑑みてなされたもので、誤操作を抑制しつつ多様な操作を１つの操作デバイスにより実現することが可能な車両用操作装置を提供することを目的としている。
【課題を解決するための手段】
【０００６】
上記課題を解決して係る目的を達成するために、本発明の請求項１に係る車両用操作装置は、車両に搭載されて操作者による所定の操作により制御可能な車載機器（例えば、実施の形態での車載機器１６）と、操作面（例えば、実施の形態での操作面１２ａ）を有すると共に当該操作面に対する前記操作者の手指によるスライド操作を検出可能な操作検出手段（例えば、実施の形態での操作検出部１２）と、該操作検出手段により検出された前記スライド操作に基づいて所定のジェスチャパターンを認識するジェスチャ認識手段（例えば、実施の形態での制御装置１４）と、前記ジェスチャ認識手段により認識された前記ジェスチャパターンに応じて前記車載機器を制御する制御手段（例えば、実施の形態での制御装置１４が兼ねる）と、を備える操作装置であって、前記操作検出手段は、前記スライド操作の操作方向を含む平面に略直交する押圧方向への押圧力を検出可能であり、前記ジェスチャ認識手段は、前記操作検出手段により検出される前記押圧力が所定値（例えば、実施の形態での第１閾値Ａ）未満である場合に前記スライド操作に基づく前記ジェスチャパターンの認識を実行せず、前記押圧力が前記所定値以上に到達した以後の前記スライド操作に基づいて前記ジェスチャパターンを認識する。
【０００７】
さらに、本発明の請求項１に係る車両用操作装置では、前記ジェスチャ認識手段は、前記操作検出手段により前記押圧力が前記所定値以上であることが検出された以後の所定時間の間に、前記押圧力が前記所定値未満であることが検出されたとしても、前記スライド操作に基づく前記ジェスチャパターンの認識を継続する。
【０００８】
また、本発明の請求項２に係る車両用操作装置は、車両に搭載されて操作者による所定の操作により制御可能な車載機器（例えば、実施の形態での車載機器１６）と、操作面（例えば、実施の形態での操作面１２ａ）を有すると共に当該操作面に対する前記操作者の手指によるスライド操作を検出可能な操作検出手段（例えば、実施の形態での操作検出部１２）と、該操作検出手段により検出された前記スライド操作に基づいて所定のジェスチャパターンを認識するジェスチャ認識手段（例えば、実施の形態での制御装置１４）と、前記ジェスチャ認識手段により認識された前記ジェスチャパターンに応じて前記車載機器を制御する制御手段（例えば、実施の形態での制御装置１４が兼ねる）と、を備える操作装置であって、前記操作検出手段は、前記スライド操作の操作方向を含む平面に略直交する押圧方向への押圧力を検出可能であり、前記ジェスチャ認識手段は、前記操作検出手段により検出される前記押圧力が所定値（例えば、実施の形態での第１閾値Ａ）未満である場合に前記スライド操作に基づく前記ジェスチャパターンの認識を実行せず、前記押圧力が前記所定値以上に到達した以後の前記スライド操作に基づいて前記ジェスチャパターンを認識し、前記操作検出手段は、前記車両のステアリングホイール（例えば、実施の形態でのステアリングホイール１１）上に設けられ、前記ジェスチャ認識手段は、前記ステアリングホイールの舵角が所定舵角以上である場合には、前記操作検出手段により検出される前記押圧力が前記所定値以上となった場合であっても、前記スライド操作に基づく前記ジェスチャパターンの認識を禁止する。
また、本発明の請求項３に係る車両用操作装置は、車両に搭載されて操作者による所定の操作により制御可能な車載機器（例えば、実施の形態での車載機器１６）と、操作面（例えば、実施の形態での操作面１２ａ）を有すると共に当該操作面に対する前記操作者の手指によるスライド操作を検出可能な操作検出手段（例えば、実施の形態での操作検出部１２）と、該操作検出手段により検出された前記スライド操作に基づいて所定のジェスチャパターンを認識するジェスチャ認識手段（例えば、実施の形態での制御装置１４）と、前記ジェスチャ認識手段により認識された前記ジェスチャパターンに応じて前記車載機器を制御する制御手段（例えば、実施の形態での制御装置１４が兼ねる）と、を備える操作装置であって、前記操作検出手段は、前記スライド操作の操作方向を含む平面に略直交する押圧方向への押圧力を検出可能であり、前記ジェスチャ認識手段は、前記操作検出手段により検出される前記押圧力が所定値（例えば、実施の形態での第１閾値Ａ）未満である場合に前記スライド操作に基づく前記ジェスチャパターンの認識を実行せず、前記押圧力が前記所定値以上に到達した以後の前記スライド操作に基づいて前記ジェスチャパターンを認識し、前記操作検出手段は、前記車両のステアリングホイール（例えば、実施の形態でのステアリングホイール１１）上に設けられ、前記ジェスチャ認識手段は、前記操作検出手段とは異なる他の操作スイッチ（例えば、実施の形態での操作スイッチ１７）が操作されている場合には、前記操作検出手段により検出される前記押圧力が前記所定値以上となった場合であっても、前記スライド操作に基づく前記ジェスチャパターンの認識を禁止する。
さらに、本発明の請求項４に係る車両用操作装置では、前記所定時間は、前記操作検出手段により前記スライド操作が継続して検出されている時間である。
【０００９】
さらに、本発明の請求項５に係る車両用操作装置は、前記所定の操作に応じて操作可能な操作対象（例えば、実施の形態での操作対象Ｐ）を複数の所定の表示領域において前記操作者に視認可能に表示する表示手段（例えば、実施の形態での表示器１３）を備え、前記表示手段は、前記ジェスチャ認識手段により認識された前記ジェスチャパターンに応じて前記所定の表示領域内において前記操作対象が移動するように表示し、前記ジェスチャ認識手段は、前記操作検出手段により検出される前記押圧力が前記所定値よりも大きい第２所定値（例えば、実施の形態での第２閾値Ｂ）以上である場合に、前記複数の所定の表示領域のうち何れか１つの表示領域から他の表示領域へ前記操作対象が移動するように表示する。
【００１０】
さらに、本発明の請求項６に係る車両用操作装置では、前記操作検出手段は、所定の単位時間あたりの前記押圧力の変化量または変化率を検出可能であって、当該押圧力の変化量または変化率に基づいて前記押圧力が前記所定値以上であるか否かを判定する。
【００１３】
さらに、本発明の請求項７に係る車両用操作装置では、前記操作検出手段は、前記操作面の前記押圧方向奥側に静電容量センサ（例えば、実施の形態での静電容量センサ２１）を備えると共に、該静電容量センサと前記操作面との間に弾性変形可能な弾性部材（例えば、実施の形態での弾性部材２２）を備え、該弾性部材の前記押圧方向への前記弾性変形に伴い前記弾性部材の静電容量が変化することに基づいて前記押圧力の変化を検出する。
【００１４】
さらに、本発明の請求項８に係る車両用操作装置では、前記操作検出手段は、前記操作面の前記押圧方向奥側に圧電素子（例えば、実施の形態での圧電素子３１）を備え、前記操作面を介して押圧される前記圧電素子の抵抗値の変化に基づいて前記押圧力の変化を検出する。
【００１５】
さらに、本発明の請求項９に係る車両用操作装置では、前記操作検出手段は、前記車両の運転席近傍の取付面（例えば、実施の形態でのステアリングホイール１１のスポーク部１１ａの表面）に取り付けられ、前記操作面は、該取付面周辺の面に対して奥まった凹部（例えば、実施の形態での凹部１１ｂ）を形成する面とされ、前記凹部は、前記操作検出手段を操作する前記操作者の手指の一部を収容可能である。
【発明の効果】
【００１６】
本発明の請求項１から請求項３に係る車両用操作装置によれば、押圧力が所定値以上に到達する状態は、操作者が意図的にジェスチャ操作を行なっている可能性が高いと判断して、ジェスチャパターンの認識を実行することにより、車載機器に対する誤操作を抑制することができる。
【００１７】
さらに、本発明の請求項１に係る車両用操作装置によれば、押圧力の一時的な変化（低下など）に応じてジェスチャパターンの認識の実行有無が頻繁に切り替わることを抑制し、利便性を向上させることができる。
さらに、本発明の請求項２に係る車両用操作装置によれば、操作検出手段が設けられたステアリングホイールの舵角が所定舵角以上である場合には、操作者が意図しない誤操作が発生する可能性が高いと判断することができ、ジェスチャパターンの認識を禁止することにより、車載機器に対する誤操作を抑制し、利便性を向上させることができる。
さらに、本発明の請求項３に係る車両用操作装置によれば、他の操作スイッチが操作されている場合には、操作者が意図しない誤操作が操作検出手段により検出される可能性が高いと判断することができ、ジェスチャパターンの認識を禁止することにより、車載機器に対する誤操作を抑制し、利便性を向上させることができる。
【００１８】
さらに、本発明の請求項４に係る車両用操作装置によれば、スライド操作が継続して検出されている間は、操作者が意図的にジェスチャ操作を行なっている可能性が高いと判断することができ、ジェスチャパターンの認識を的確に実行することができ、車載機器に対する誤操作を抑制し、利便性を向上させることができる。
【００１９】
さらに、本発明の請求項５に係る車両用操作装置によれば、ジェスチャパターンの認識の実行有無を判定するための所定値よりも大きな第２所定値以上の押圧力が検出された場合に、操作対象が異なる表示領域間を跨ぐように表示することにより、操作者の意図に反して操作対象が異なる表示領域間を跨ぐように表示されてしまうことを抑制し、車載機器に対する誤操作を抑制することができる。
【００２０】
さらに、本発明の請求項６に係る車両用操作装置によれば、操作者が意図的にジェスチャ操作を行なっているか否かの判定精度を向上させることができ、例えば操作者の手指が不意に操作面に触れる場合などにおける車載機器に対する誤操作を抑制することができる。
【００２３】
さらに、本発明の請求項７に係る車両用操作装置によれば、例えば弾性部材を備えない場合に比べて、所望の大きさの操作面を確保するために要する静電容量センサの大きさを小さくすることができ、操作検出手段の実装に要するスペースを低減することができる。
さらに、操作面上の操作を検出可能な最小の操作面積を小さくすることができ、操作負荷を低減し、操作性を向上させることができる。
【００２４】
さらに、本発明の請求項８に係る車両用操作装置によれば、所望の大きさの操作面を確保するために要する圧電素子の大きさを小さくすることができ、操作検出手段の実装に要するスペースを低減することができる。
さらに、操作面上の操作を検出可能な最小の操作面積を小さくすることができ、操作負荷を低減し、操作性を向上させることができる。
【００２５】
さらに、本発明の請求項９に係る車両用操作装置によれば、操作面は、取付面周辺の面に対して奥まった凹部を形成する面とされることから、操作者の手指が不意に操作面に触れることを抑制することができる。
また、操作者が操作面を直接に視認せずに操作面を手指によって探索する場合であっても、操作者の手指を的確に操作面へと案内することができる。
これにより、車両の運転時であっても、走行安全性を確保することができ、車載機器に対する操作性を向上させることができる。
【図面の簡単な説明】
【００２６】
【図１】本発明の実施の形態に係る車両用操作装置の構成図である。
【図２】本発明の実施の形態に係る車両用操作装置の構成図である。
【図３】本発明の実施の形態に係る車両用操作装置の操作検出部の構成図である。
【図４】本発明の実施の形態に係る車両用操作装置の操作検出部の構成図である。
【図５】本発明の実施の形態に係る車両用操作装置の操作検出部に対するスライド操作と、表示器での表示との対応の一例を示す図である。
【図６】本発明の実施の形態に係る車両用操作装置の操作検出部に対するスライド操作と、表示器での表示との対応の一例を示す図である。
【図７】本発明の実施の形態に係る車両用操作装置の操作検出部に対するスライド操作と、表示器での表示との対応の一例を示す図である。
【図８】本発明の実施の形態に係る車両用操作装置の操作検出部に対するスライド操作と、表示器での表示との対応の一例を示す図である。
【図９】本発明の実施の形態に係る車両用操作装置の操作検出部に対するスライド操作と、表示器での表示との対応の一例を示す図である。
【図１０】本発明の実施の形態に係る車両用操作装置の操作検出部に対するスライド操作と、表示器での表示との対応の一例を示す図である。
【図１１】本発明の実施の形態に係る車両用操作装置の操作検出部に対するスライド操作と、表示器での表示との対応の一例を示す図である。
【図１２】本発明の実施の形態の変形例に係る車両用操作装置の操作検出部の構成図である。
【発明を実施するための形態】
【００２７】
以下、本発明の一実施形態に係る車両用操作装置について添付図面を参照しながら説明する。
本実施の形態による車両用操作装置１０は、例えば図１および図２に示すように、車両のステアリングホイール１１上に設けられた操作検出部１２と、表示器１３と、制御装置１４と、舵角センサ１５とを備えて構成されている。
【００２８】
そして、車両用操作装置１０は、操作者（例えば、運転者）による操作検出部１２に対する入力操作に応じて、各種の車載機器１６の動作を制御する。
なお、この車両は、ステアリングホイール１１上に設けられた操作検出部１２とは異なる他の操作スイッチ１７を備え、この操作スイッチ１７に対する操作者（例えば、運転者）の入力操作に応じて、各種の車載機器１６の所定動作を制御可能である。
【００２９】
そして、例えば２つの操作検出部１２，１２は、車両の運転席近傍の取付面、例えば中立位置（つまり車両の直進状態での位置）のステアリングホイール１１のスポーク部１１ａの表面上において、ステアリングホイール１１の回転軸Ｏから各左側および右側にずれた位置に配置されている。
そして、２つの操作検出部１２，１２が配置されている位置は、例えば、ステアリングホイール１１を把持した運転者の左右の手指（例えば、親指など）で各操作検出部１２を操作可能な位置とされている。
【００３０】
操作検出部１２は、例えば図２、図３に示すように、操作面１２ａを有しており、この操作面１２ａは、取付面（つまり、ステアリングホイール１１のスポーク部１１ａの表面）周辺の面に対して奥まった凹部１１ｂを形成する面とされ、凹部１１ｂは、操作検出部１２を操作する操作者の手指の一部（例えば、先端部など）を収容可能である。
【００３１】
操作検出部１２は、例えば、操作面１２ａに対する操作者の手指によるスライド操作と、スライド操作の操作方向を含む平面に略直交する押圧方向への押圧力とを検出可能であり、これらの検出結果の信号を出力する。
さらに、この押圧力に対して、操作検出部１２は、所定の単位時間あたりの押圧力の変化量または変化率を検出可能であって、当該押圧力の変化量または変化率に基づいて押圧力が所定の第１閾値Ａ以上であるか否かを判定する。
【００３２】
操作検出部１２は、例えば図４（Ａ），（Ｂ）に示すように、操作面１２ａの押圧方向奥側（つまり、操作面１２ａを成す表面を有する板状の部材１２ｂの押圧方向の裏面側）に静電容量センサ２１を備えると共に、該静電容量センサ２１と操作面１２ａとの間に弾性変形可能な弾性部材２２を備えている。
そして、操作検出部１２は、弾性部材２２の押圧方向への弾性変形に伴い弾性部材２２の静電容量が変化することに基づいて、押圧力の変化とスライド操作とを検出する。
【００３３】
表示器１３は、例えば、車両のダッシュボードの上部に表示画面１３ａが配置されたダッシュボードディスプレイや、車両のフロントウィンドウ上を表示画面１３ａとして表示を行なうヘッドアップディスプレイや、車両のインストルメントパネルに表示画面１３ａが配置されたマルチインフォメーションディスプレイや、車両のインストルメントパネルの各種計器類付近に表示画面１３ａが配置されたディスプレイなどである。
表示器１３は、操作検出部１２に対する所定の操作に応じて操作可能な操作対象を表示画面１３上で操作者に視認可能に表示する。
【００３４】
制御装置１４は、操作検出部１２から出力される検出結果の信号に基づき、各種の車載機器１６の動作を制御するための制御指令を出力する。
また、制御装置１４は、操作検出部１２から出力される検出結果の信号に応じて、表示器１３の表示画面１３ａ上における操作対象の表示を制御する。
【００３５】
例えば、制御装置１４は、操作検出部１２により検出される操作者のスライド操作に基づいて所定のジェスチャパターンを認識する。
なお、制御装置１４は、例えば、操作検出部１２により検出される操作者の押圧力が所定の第１閾値Ａ未満である場合にスライド操作に基づくジェスチャパターンの認識を実行せず、押圧力が第１閾値Ａ以上に到達した以後のスライド操作に基づいてジェスチャパターンを認識する。
【００３６】
ただし、制御装置１４は、例えば、操作検出部１２により押圧力が所定の第１閾値Ａ以上であることが検出された以後の所定時間（例えば、操作検出部１２によりスライド操作が継続して検出されている時間など）の間に、押圧力が第１閾値Ａ未満であることが検出されたとしても、この所定時間においてはスライド操作に基づくジェスチャパターンの認識を継続する。
【００３７】
そして、制御装置１４は、例えば図５（Ａ），（Ｂ）に示すように、操作検出部１２に対する操作者の所定の操作（例えば図５（Ａ）に示す、ステアリングホイール１１の回転軸Ｏから左側にずれた位置に配置された操作検出部１２に対する右方向ＱＬへのスライド操作など）に応じて表示器１３の表示画面１３ａ上において操作可能な操作対象Ｐを、表示画面１３ａ上の複数の所定の表示領域（例えば、表示領域Ｄａ，Ｄｂなど）で操作者に視認可能に表示する状態において、操作者のスライド操作に基づくジェスチャパターンに応じて操作対象Ｐが移動するように表示する。
【００３８】
この場合、制御装置１４は、操作対象Ｐが所定の表示領域（例えば、表示領域Ｄａ）内に存在し、この表示領域（例えば、表示領域Ｄａ）内で移動可能である状態において、操作検出部１２により検出される押圧力が所定の第１閾値Ａよりも大きい所定の第２閾値Ｂ未満であれば、この表示領域（例えば、表示領域Ｄａ）から他の表示領域（例えば、表示領域Ｄｂなど）への操作対象Ｐの移動を禁止する。
そして、操作検出部１２により検出される押圧力が所定の第１閾値Ａよりも大きい所定の第２閾値Ｂ以上である場合に、操作対象Ｐが存在する表示領域（例えば、表示領域Ｄａ）から他の表示領域（例えば、表示領域Ｄｂ）へ操作対象Ｐを移動可能とする。
【００３９】
このように表示器１３の表示画面１３ａ上において操作者の所定の操作に応じて操作可能な操作対象の移動に対して、操作対象の移動を妨げる表示が存在する場合には、制御装置１４は、押圧力が所定の第２閾値Ｂ未満であれば操作対象の移動の妨げを有効とし、押圧力が所定の第２閾値Ｂ以上であれば操作対象の移動の妨げを無効とする。
なお、操作対象の移動を妨げる表示とは、例えば、各表示領域の境界を示す境界表示や、複数の表示領域間の境界を示す境界表示や、いわゆるページ移動やページ送りなどを演出するために複数の画面表示を切り替えて表示することなどである。
【００４０】
例えばページ送りなどの切替表示が行われる場合の一例として、図６（Ａ），（Ｂ）に示すように、ステアリングホイール１１の回転軸Ｏから各左側および右側にずれた位置に配置された２つの操作検出部１２，１２に対して操作者により適宜の同一の操作方向（例えば、右方向ＱＬ）へのスライド操作が実行されたときに、操作検出部１２により検出された押圧力が所定の第１閾値Ａよりも大きい所定の第２閾値Ｂ以上であれば、制御装置１４は、このスライド操作によるジェスチャ入力を有効とする。
【００４１】
そして、このジェスチャ入力が所定条件を満たす場合に、スライド操作の操作方向（例えば、右方向ＱＬ）に応じた方向（例えば、右方向）への連続的なスクロール移動（例えば、表示Ｄ１から表示Ｄ２への移動）などによって、表示を切り替える。
なお、ジェスチャ入力に対する所定条件は、例えば２つの操作検出部１２，１２に対するスライド操作において、操作方向がほぼ同一方向、操作速度がほぼ同一速度、操作量がほぼ同一操作量、操作タイミングがほぼ同一タイミングなどである。
【００４２】
また、例えば表示の回転などの切替表示が行われる場合の一例として、図７（Ａ），（Ｂ）に示すように、ステアリングホイール１１の回転軸Ｏから各左側および右側にずれた位置に配置された２つの操作検出部１２，１２に対して操作者により上下方向の互いに反対方向（上方向ＱＵおよび下方向ＱＤ）へのスライド操作が実行されたときに、操作検出部１２により検出された押圧力が所定の第１閾値Ａよりも大きい所定の第２閾値Ｂ以上であれば、制御装置１４は、このスライド操作によるジェスチャ入力を有効とする。
【００４３】
そして、このジェスチャ入力が所定条件を満たす場合に、スライド操作の操作方向（例えば、左側の操作検出部１２に対する下方向ＱＤおよび右側の操作検出部１２に対する上方向ＱＵ）に応じた回転方向（例えば、反時計周り方向など）への連続的な回転移動（例えば、表示Ｄ１から表示Ｄ２への回転移動）などによって、表示を切り替える。
なお、ジェスチャ入力に対する所定条件は、例えば２つの操作検出部１２，１２に対するスライド操作において、操作方向がほぼ上下方向の互いに反対方向、操作速度がほぼ同一速度、操作量がほぼ同一操作量、操作タイミングがほぼ同一タイミングなどである。
【００４４】
また、例えば表示の拡大状態と縮小状態となどの切替表示が行われる場合の一例として、図８（Ａ），（Ｂ）に示すように、ステアリングホイール１１の回転軸Ｏから各左側および右側にずれた位置に配置された２つの操作検出部１２，１２に対して操作者により左右方向の互いに反対方向（左方向ＱＬおよび右方向ＱＲ）へのスライド操作が実行されたときに、操作検出部１２により検出された押圧力が所定の第１閾値Ａよりも大きい所定の第２閾値Ｂ以上であれば、制御装置１４は、このスライド操作によるジェスチャ入力を有効とする。
【００４５】
そして、このジェスチャ入力が所定条件を満たす場合に、スライド操作の操作方向（例えば、左側の操作検出部１２に対する左方向ＱＬおよび右側の操作検出部１２に対する右方向ＱＲ）に応じた状態（例えば、拡大状態）への連続的な移動（例えば、表示Ｄ１から表示Ｄ２への拡大移動）などによって、表示を切り替える。
なお、ジェスチャ入力に対する所定条件は、例えば２つの操作検出部１２，１２に対するスライド操作において、操作方向がほぼ左右方向の互いに反対方向、操作速度がほぼ同一速度、操作量がほぼ同一操作量、操作タイミングがほぼ同一タイミングなどである。
【００４６】
また、例えば表示の実行状態と待機状態となどの切替表示が行われる場合の例として、図９（Ａ），（Ｂ）または図１０（Ａ），（Ｂ）に示すように、ステアリングホイール１１の回転軸Ｏから各左側および右側にずれた位置に配置された２つの操作検出部１２，１２に対して操作者により回転方向の互いに反対方向（反時計周り方向ＱＣＣＷおよび時計回り方向ＱＣＷ）へのスライド操作が実行されたときに、操作検出部１２により検出された押圧力が所定の第１閾値Ａよりも大きい所定の第２閾値Ｂ以上であれば、制御装置１４は、このスライド操作によるジェスチャ入力を有効とする。
【００４７】
そして、このジェスチャ入力が所定条件を満たす場合に、例えば図９（Ａ），（Ｂ）に示すスライド操作の操作方向（左側の操作検出部１２に対する反時計周り方向ＱＣＣＷおよび右側の操作検出部１２に対する時計回り方向ＱＣＷ）に応じた状態（例えば、実行状態）への連続的な移動（例えば、表示Ｄ１から表示Ｄ２への移動）によって、あるいは、例えば図１０（Ａ），（Ｂ）に示すスライド操作の操作方向（左側の操作検出部１２に対する時計周り方向ＱＣＷおよび右側の操作検出部１２に対する反時計回り方向ＱＣＣＷ）に応じた状態（例えば、待機状態）への連続的な移動（例えば、表示Ｄ２から表示Ｄ２への移動）によって、表示を切り替える。
なお、ジェスチャ入力に対する所定条件は、例えば２つの操作検出部１２，１２に対するスライド操作において、操作方向が回転方向の互いに反対方向、操作速度がほぼ同一速度、操作量がほぼ同一操作量、操作タイミングがほぼ同一タイミングなどである。
【００４８】
また、例えばメニュー表示の表示項目の並べ替え表示が行われる場合の一例として、図１１（Ａ），（Ｂ）に示すように、ステアリングホイール１１の回転軸Ｏから各左側および右側にずれた位置に配置された２つの操作検出部１２，１２に対して操作者により上下方向の互いに反対方向（上方向ＱＵおよび下方向ＱＤ）へのスライド操作が実行されたときに、操作検出部１２により検出された押圧力が所定の第１閾値Ａよりも大きい所定の第２閾値Ｂ以上であれば、制御装置１４は、このスライド操作によるジェスチャ入力を有効とする。
【００４９】
そして、このジェスチャ入力が所定条件を満たす場合に、スライド操作の操作方向（例えば、左側の操作検出部１２に対する上方向ＱＵおよび右側の操作検出部１２に対する下方向ＱＤ）に応じた並べ替え方向（例えば、複数の表示項目Ｍ１〜Ｍ３に対する適宜の優先順での昇順方向や降順方向など）への連続的な並べ替え移動などによって、表示を切り替える。
なお、ジェスチャ入力に対する所定条件は、例えば２つの操作検出部１２，１２に対するスライド操作において、操作方向がほぼ上下方向の互いに反対方向、操作速度がほぼ同一速度、操作量がほぼ同一操作量、操作タイミングがほぼ同一タイミングなどである。
【００５０】
なお、制御装置１４は、舵角センサ１５により検出されるステアリングホイール１１の舵角が所定舵角以上である場合には、操作検出部１２により検出される押圧力が所定の第１閾値Ａ以上となった場合であっても、スライド操作に基づくジェスチャパターンの認識を実行しない（つまり禁止する）ようにしてもよい。
【００５１】
また、制御装置１４は、操作検出部１２とは異なる他の操作スイッチ１７が操作されている場合には、操作検出部１２により検出される押圧力が所定の第１閾値Ａ以上となった場合であっても、スライド操作に基づくジェスチャパターンの認識を実行しない（つまり禁止する）ようにしてもよい。
【００５２】
上述したように、本実施の形態による車両用操作装置１０によれば、操作検出部１２に対する操作者の押圧力が所定の第１閾値Ａ以上に到達する状態は、操作者が意図的にジェスチャ操作を行なっている可能性が高いと判断して、ジェスチャパターンの認識を実行することにより、各種の車載機器１６に対する誤操作を抑制することができる。
【００５３】
さらに、押圧力の一時的な変化（低下など）に応じてジェスチャパターンの認識の実行有無が頻繁に切り替わることを抑制し、利便性を向上させることができる。
【００５４】
さらに、スライド操作が継続して検出されている間は、操作者が意図的にジェスチャ操作を行なっている可能性が高いと判断することができ、ジェスチャパターンの認識を的確に実行することができ、各種の車載機器１６に対する誤操作を抑制し、利便性を向上させることができる。
【００５５】
さらに、ジェスチャパターンの認識の実行有無を判定するための所定の第１閾値Ａよりも大きな所定の第２閾値Ｂ以上の押圧力が検出された場合に、操作対象が異なる表示領域間を跨いで移動するように表示することにより、操作者の意図に反して操作対象が異なる表示領域間を跨いで移動するように表示されてしまうことを抑制し、各種の車載機器１６に対する誤操作を抑制することができる。
【００５６】
さらに、所定の単位時間あたりの押圧力の変化量または変化率に基づいて、押圧力が所定の第１閾値Ａまたは第２閾値Ｂ以上であるか否かを判定することにより、操作者が意図的にジェスチャ操作を行なっているか否かの判定精度を向上させることができ、例えば操作者の手指が不意に操作面に触れる場合などにおける車載機器１６に対する誤操作を抑制することができる。
【００５７】
さらに、操作検出部１２が設けられたステアリングホイール１１の舵角が所定舵角以上である場合には、操作者が意図しない誤操作が発生する可能性が高いと判断することができ、ジェスチャパターンの認識を禁止することにより、車載機器１６に対する誤操作を抑制し、利便性を向上させることができる。
【００５８】
さらに、他の操作スイッチ１７が操作されている場合には、操作者が意図しない誤操作が操作検出部１２により検出される可能性が高いと判断することができ、ジェスチャパターンの認識を禁止することにより、車載機器１６に対する誤操作を抑制し、利便性を向上させることができる。
【００５９】
さらに、操作検出部１２において、例えば弾性部材２２を備えない場合に比べて、所望の大きさの操作面１２ａを確保するために要する静電容量センサ２１の大きさを小さくすることができ、操作検出部１２の実装に要するスペースを低減することができる。
さらに、検出可能面積（つまり、操作面１２ａ上の操作を検出可能な最小の操作面積）を小さくすることができ、操作負荷を低減し、操作性を向上させることができる。
【００６０】
さらに、操作面１２ａは、取付面（つまり、ステアリングホイール１１のスポーク部１１ａの表面）周辺の面に対して奥まった凹部１１ｂを形成する面とされることから、操作者の手指が不意に操作面１２ａに触れることを抑制することができる。
また、操作者が操作面１２ａを直接に視認せずに操作面１２ａを手指によって探索する場合であっても、操作者の手指を的確に操作面１２ａへと案内することができる。
これにより、車両の運転時であっても、走行安全性を確保することができ、車載機器１６に対する操作性を向上させることができる。
【００６１】
なお、上述した実施の形態に係る車両用操作装置１０によれば、操作検出部１２は静電容量センサ２１を備えて構成されるとしたが、これに限定されず、例えば図１２（Ａ），（Ｂ）に示すように、操作面１２ａの押圧方向奥側に圧電素子３１を備え、操作面１２ａを介して押圧される圧電素子３１の抵抗値の変化に基づいて押圧力の変化を検出してもよい。
【００６２】
この場合、操作面１２ａを弾性変形可能な板状の部材３２の表面とし、この部材の裏面上に複数の圧電素子３１を配置し、部材３２の表面あるいは裏面の面積を、この裏面に接触する複数の圧電素子３１の全ての接触面積よりも大きくしてもよい。
これにより、所望の大きさの操作面１２ａを確保するために要する圧電素子３１の大きさを小さくすることができ、操作検出部１２の実装に要するスペースを低減することができる。
さらに、検出可能面積（つまり、操作面１２ａ上の操作を検出可能な最小の操作面積）を小さくすることができ、操作負荷を低減し、操作性を向上させることができる。
【符号の説明】
【００６３】
１０  車両用操作装置
１１  ステアリングホイール
１１ａ  スポーク部
１１ｂ  凹部
１２  操作検出部（操作検出手段）
１２ａ  操作面
１３  表示器（表示手段）
１４  制御装置（ジェスチャ認識手段、制御手段）
１６  車載機器
１７  操作スイッチ
２１  静電容量センサ
２２  弾性部材
３１  圧電素子
【図１】
0005232889.tif 000002
【図２】
0005232889.tif 000003
【図３】
0005232889.tif 000004
【図４】
0005232889.tif 000005
【図５】
0005232889.tif 000006
【図６】
0005232889.tif 000007
【図７】
0005232889.tif 000008
【図８】
0005232889.tif 000009
【図９】
0005232889.tif 000010
【図１０】
0005232889.tif 000011
【図１１】
0005232889.tif 000012
【図１２】
0005232889.tif 000013